(57)【特許請求の範囲】
【請求項１】
複数の車輪を下部に有する台車枠部上に着座部が分離連結可能に載設され、該着座部のみを浴槽内方に進入させて座位入浴を行うための入浴用搬送車であって、
少なくとも前記着座部の座シート部は入浴者が長座位の姿勢で入浴可能となるよう前記台車枠部から前方に延在して構成されるとともに前記座シート部の下方には転倒を阻止する脚体が備えられ、
該脚体は前記着座部の前記浴槽内方への進入時に当該進入の妨げにならない位置まで自動的に収納するように構成され、
前記脚体は、その一方部位が前記座シート部に軸着されて引出端と収納端の所定区間を揺動可能であって、該所定区間における前記脚体の所定位置を境界線として、引出端及び収納端のいずれかの端位置に到達するようにその揺動が誘発されることを特徴とする入浴用搬送車。
【請求項２】
前記引出端の端位置において、少なくとも前記脚体の他方部位の端を前記座シート部に対する前記脚体の揺動中心よりも前方に位置させたことを特徴とする請求項１記載の入浴用搬送車。
【請求項３】
前記脚体は、前記着座部の前記浴槽内方からの退出時に転倒阻止機能を発揮できるように前記収納端から自動的に引き出されることを特徴とする請求項１または２記載の入浴用搬送車。
【請求項４】
前記引出端の端位置において、前記脚体の揺動を自動的にロックするロック手段を前記脚体と前記座シート部にわたって付設し、該ロック手段によるロックを前記着座部の前記浴槽内方への進入時に自動的に解除するようにしたことを特徴とする請求項１ないし３のいずれか１項に記載の入浴用搬送車。
【請求項５】
最前の前記車輪より前方に位置する前記座シート部の周囲側縁を前記座シート部面より上方に高くなるように形成したことを特徴とする請求項１ないし４のいずれか１項に記載の入浴用搬送車。
【請求項６】
少なくとも前記座シート部の前側縁を入浴者の足裏部位を押し当てることができる程度に高くしたことを特徴とする請求項１ないし５のいずれか１項に記載の入浴用搬送車。
【請求項７】
前記脚体の他方部位に転動輪を設けたことを特徴とする請求項１ないし６のいずれか１項に記載の入浴用搬送車。
【発明の詳細な説明】
【技術分野】
【０００１】
本発明は、高齢者や身体障害者等の入浴者を搬送車の着座部に座らせた後、この着座部のみを浴槽内方に進入させて座位入浴を行うための入浴用搬送車に関するものである。
【背景技術】
【０００２】
従来より、特許文献１に示すように、移動自在な台車部と、該台車部に分離可能に支持されるとともに昇降可能な座席部を有し、座席部を浴槽内に進入させて座位入浴を行う入浴用搬送車において、左右方向への横転防止のための支持装置を備えたものが知られている。
【０００３】
しかし、この支持装置の有する横転防止機能は、座席部が所定の下降位置にない上昇位置にあるときにおいては発現されるものの、座席部が所定下降位置に至るとその機能が解消される構成であるが故に、当該下降位置での横転防止が実現できず、特に病気や事故等の原因により下肢を自在に屈曲伸展できない入浴者が座席部に対してフットレストを略水平状になした姿勢の搬送車上へ乗り移る際にフットレストないしは座席部に加わる外力の大きさや方向によっては、搬送車の転倒危険性を有しており、安全上の問題点が指摘されていた。
【０００４】
一方、特許文献２には、高さ調整装置付き簡易ベッド、車椅子、特殊防水シート付き簡易風呂と、１台でその利用に応じた形態に簡単に変換できる構造をもつ多機能付き移動式簡易風呂において、座部を上部に有する本体部の四方に方向自由且つ前後方向に収納可能な転倒防止用固定足が設けられる構成が開示されているが、この座部は本体部から分離し浴槽内へ進入するものではなく、座部の進入に際し固定足が自動的に収納されるといった構成についても何ら記載がなされていない。
【０００５】
よって、使用者は固定足の引き出し及び収納を手動操作にて逐一行わなければならず煩雑極まりなく、当該操作の省力化が切に望まれていた。
【先行技術文献】
【特許文献】
【０００６】
【特許文献１】特許第３９２９１６７号公報
【特許文献２】特開２００２−３５０７９号公報
【発明の概要】
【発明が解決しようとする課題】
【０００７】
本発明は上記事情に鑑みてなされたもので、入浴者の乗り降りに際しての転倒危険性を軽減し、加えて搬送車本体の転倒を阻止する脚体操作の省力化を図った入浴用搬送車を提供することを目的とする。
【課題を解決するための手段】
【０００８】
上記目的を実現する為、請求項１記載の入浴用搬送車は、複数の車輪を下部に有する台車枠部上に着座部が分離連結可能に載設され、該着座部のみを浴槽内方に進入させて座位入浴を行うための入浴用搬送車であって、
少なくとも前記着座部の座シート部は入浴者が長座位の姿勢で入浴可能となるよう前記台車枠部から前方に延在して構成されるとともに前記座シート部の下方には転倒を阻止する脚体が備えられ、
該脚体は前記着座部の前記浴槽内方への進入時に当該進入の妨げにならない位置まで自動的に収納するように構成され、
前記脚体は、その一方部位が前記座シート部に軸着されて引出端と収納端の所定区間を揺動可能であって、該所定区間における前記脚体の所定位置を境界線として、引出端及び収納端のいずれかの端位置に到達するようにその揺動が誘発されることを特徴とする。
【０００９】
この入浴用搬送車によれば、座シート部への入浴者の乗り降りに際し入浴用搬送車の転倒を阻止することができるとともに、浴槽内方へ着座部を進入させる際に脚体の収納操作が不要となり省力化に寄与でき、加えて、入浴介助者が脚体の収納操作を誤って忘却し脚体が浴槽底壁に衝突することにより脚体や浴槽が破損するという危険性も回避できる。
また、脚体を設けたことにより台車枠部のサイズをコンパクトにすることができ（搬送車本体の転倒を阻止するため台車枠部を前方に延ばす必要がなくなる）、入浴用搬送車の走行操作性を向上できる。さらに浴槽下部における台車枠部の占有スペースを小さくできるので、残りのスペースを部品配置等に有効活用することができる。
さらに、脚体が引出端と収納端の間の中途半端な位置で保持されることはなく、入浴介助者は脚体が引出端と収納端のいずれの位置にあるのかを容易に視認判別することができ、しかも収納端以外の位置に脚体がある状態で入浴者の移乗を行い、搬送車本体が転倒してしまうという危険性を低減できる。
【００１２】
請求項２記載の入浴用搬送車は、前記引出端の端位置において、少なくとも前記脚体の他方部位の端を前記座シート部に対する前記脚体の揺動中心よりも前方に位置させたことを特徴とする。
【００１３】
この入浴用搬送車によれば、入浴者の座シート部への乗り移り時や座シート部からの降車時に、例えば、座シート部の前方に対して鉛直方向への外力が加わった場合であっても、脚体が不用意に収納端方向に揺動することを低減でき、この結果、搬送車本体が転倒する危険性を抑制することが可能となる。
【００１４】
請求項３記載の入浴用搬送車は、前記脚体は、前記着座部の前記浴槽内方からの退出時に転倒阻止機能を発揮できるように前記収納端から自動的に引き出されることを特徴とする。
【００１５】
この入浴用搬送車によれば、着座部を浴槽から退出させる際に脚体が自動的に引き出されるので、より一層省力化に寄与できる。また、脚体の引き出し及び収納作業を腰を屈めて行う必要がなくなり、例えば、腰痛持ちの入浴介助者にとっては負担が軽減され、腰痛持ちでない入浴介助者にとっても腰痛を引き起こし難くなるというメリットを有する。
【００１６】
請求項４記載の入浴用搬送車は、前記引出端の端位置において、前記脚体の揺動を自動的にロックするロック手段を前記脚体と前記座シート部にわたって付設し、該ロック手段によるロックを前記着座部の前記浴槽内方への進入時に自動的に解除するようにしたことを特徴とする。
【００１７】
この入浴用搬送車によれば、搬送時において座シート部の下方付近が視認し難いために、無意識のうちに浴槽以外の障害物に脚体を当ててしまい脚体が収納端方向に少し倒れた状態で入浴者の移し乗せを行うという危険性を回避できる。また、着座部を浴槽内方へ進入させる際に都度、ロック手段を手動でロック解除する必要がなくなり、さらに、入浴介助者がロック解除操作を誤って忘却し脚体をロックしたままの状態で着座部を浴槽内方へ進入させる入浴動作を行った結果、脚体を浴槽底壁に衝突させてしまい脚体や浴槽が破損するという危険性も回避できる。
【００１８】
請求項５記載の入浴用搬送車は、最前の前記車輪より前方に位置する前記座シート部の周囲側縁を前記座シート部面より上方に高くなるように形成したことを特徴とする。
【００１９】
この入浴用搬送車によれば、最前の走行車輪より前方の座シート部への入浴者の移乗を規制することで、搬送車本体の転倒抑止効果が期待できる。
【００２０】
請求項６記載の入浴用搬送車は、少なくとも前記座シート部の前側縁を入浴者の足裏部位を押し当てることができる程度に高くしたことを特徴とする。
【００２１】
この入浴用搬送車によれば、座シート部の前側縁を足当てに兼用できるので、別途に足当てを設ける必要がなく、入浴中に入浴者が足先方向にずり込み浴中で溺れる心配もないというメリットを有する。
【００２２】
請求項７記載の入浴用搬送車は、前記脚体の他方部位に転動輪を設けたことを特徴とする。
【００２３】
この入浴用搬送車によれば、床面の凹凸を乗り越える時に脚体がつかえることもなく搬送を円滑に行うことができ、また搬送時における床面への創傷も低減できる。
【発明の効果】
【００２４】
本発明によれば、入浴者の乗り降りに際して座シート部の前方に外力が加わった場合であっても脚体の作用により搬送車本体が転倒してしまうという危険事態を阻止することができるとともに、浴槽内方へ着座部を進入させる際に都度脚体を手動で収納する操作が不要となるので、収納操作の省力化が図れる。また、着座部の浴槽内方からの退出時に転倒阻止機能を発揮できるように脚体を収納端から自動的に引き出すように構成したものでは、脚体を手動で引き出す操作も不要となり、より一層脚体操作の省力化が図れるという効果を奏する。
【図面の簡単な説明】
【００２５】
【図１】本発明の第一の実施形態に係る入浴用搬送車の平面図である。
【図２】本発明の第一の実施形態に係る入浴用搬送車の右側面図である。
【図３】図１におけるＡ−Ａ矢視断面図である。
【図４】本発明の第一の実施形態に係る入浴用車椅子の背面斜視図である。
【図５】本発明の第一の実施形態に係る脚体の収納動作を説明する動作説明図である。
【図６】本発明の第一の実施形態に係る入浴用搬送車の着座部を浴槽内方へ進入させた入浴状態を示す説明図である。
【図７】本発明の第一の実施形態に係る収納端にある脚体付近を示す底面斜視図である。
【図８】本発明の第二の実施形態に係る入浴用搬送車の脚体動作を説明する動作説明図である。
【発明を実施するための形態】
【００２６】
以下、図１ないし７を参照しつつ本発明の第一の実施形態について説明する。図２、５に示すように、入浴用搬送車１は、台車枠部３上に着座部４が分離連結機構２２により分離連結可能に載設されて構成され、身体障害者等の入浴者が着座した着座部４のみを浴槽５の内方に進入させた後、浴槽５に併置される不図示の貯湯タンクから浴槽５内へ湯水を移送供給し入浴者を座位姿勢で入浴（座位入浴）をさせるために用いるものである。
【００２７】
図４に示すように、台車枠部３は分離連結機構２２を介して着座部４を分離連結可能に支持する。台車枠部３は前方が開口し平面視で略コ字状の骨格をしており、その前後左右の各位置に車輪２を備え、床面を走行可能に構成されている。また、台車枠部３内側の前後左右位置には後述する着座部４下面の前後左右の各位置に垂設されて鉛直方向に回動可能な連結支持体２３を受ける受具２４が配設される。
【００２８】
図２、５に示すように、分離連結機構２２は、受具２４が連結支持体２３を回動不自在に保持することで着座部４と台車枠部３との連結状態を保つ一方、着座部４の浴槽５内方への進入時には中間ローラ４４が浴槽５の底壁５ａと接触し押され連結支持体２３が反時計回りに回動することで、着座部４と台車枠部３との分離が自動的になされるようになっている。
【００２９】
図１〜３に示すように、着座部４は、入浴者の臀部から下肢におよぶ部位が載置される座シート部６と、座シート部６に対して起立・倒伏可能に設けられ入浴者の頭部から腰部におよぶ部位が載置される背シート部７との二分割構成とされ、座シート部６の左右両側にはサイドガード８が備えられる。
【００３０】
座シート部６は、シートフレーム９上に受け材１０が載設されてなる。受け材１０の全長は平均的な身長の入浴者が下肢を伸展した座位姿勢（長座位姿勢）で入浴が行えるように台車枠部３の前端から前方（入浴者の足先方向）に延在するようにシートフレーム９に対して設けられている。シートフレーム９下面における前後左右の四箇所位置には連結支持体２３が回動可能に軸着されており、各連結支持体２３は不図示のバネによって図２中時計回り方向に付勢されており、台車枠部３と着座部４が連結状態にあるときは前連結支持体２３ａがフック片５３により、後連結支持体２３ｂが後述するフック片２５によりそれぞれ回動不自在に各受具２４上に載置される。
【００３１】
着座部４前方を浴槽５内方へ進入させていくと、前後の連結支持体２３ａ・２３ｂが順次浴槽５の底壁５ａに当接し反時計回りに回転し、これにより着座部４と台車枠部３とが分離可能となり、着座部４のみが浴槽５内方に進入する一方、台車枠部３はその一部分が底壁５ａの下方に入り込む（図６参照）。
【００３２】
また、後方側（図３中、右側）の受具２４には、後連結支持体２３ｂに係合し受具２４上から開放される方向（図３中、反時計回り）への連結支持体２３の回動をロックするフック片２５が台車枠部３と受具２４にわたり前後方向に延在するように設けられている。通常フック片２５の基端は台車枠部３に取着されるコイルバネ２６によって前方向（フック片２５が後連結支持体２３ｂに係合する方向）へ引張られている。
【００３３】
従って、受具２４上に後連結支持体２３ｂが載置されているときはフック片２５が係合し回動がロックされるが、台車枠部３が底壁５ａ下方の所定位置にまで入り込むと、底壁５ａ下面に固設される押圧子２７によりフック片２５基端の突起棒２８が押圧される結果、フック片２５が連結支持体２３との係合が解除される（図６参照）。尚、台車枠部３が底壁５ａ下方の所定位置に至ると台車枠部３に設けられる台車ロックレバー４９の先端４９ａが底壁５ａ下面に設けられる嵌入孔５０に嵌入し、台車枠部３が浴槽５に対し自動的にロック固定される。
【００３４】
図３、４に示すように座シート部６の受け材１０の載置面１０ａは断面視でなだらかな略山形状に成形され、受け材１０の前後略中央位置であって、台車枠部３の前側車輪２から前方（入浴者の足先方向）に位置する受け材１０の周囲側縁は、この位置に相当する受け材１０上への入浴者の移乗を規制し搬送車本体の転倒を抑止するために載置面１０ａより上方に壁面を形成する如く高くなるように形成されている。また、受け材１０の前側縁１０ｂは入浴者が足裏部位を押し当てることができる程度の高さに設計され、載置面１０ａ全域にわたってマット材１１が着脱自在に敷設されている。
【００３５】
図２、３、４に示すように、背シート部７は、背シートフレーム４６に背受け材４８が固定して構成され、背シートフレーム４６はシートフレーム９の基端側において回転支軸１７により軸着され、シートフレーム９と背シートフレーム４６にわたり介装される角度位置調節手段１８により水平面に対する背シート部７の傾斜角度が起立位置と略水平位置の範囲で四段階に調整できるようになっている。
【００３６】
角度位置調節手段１８は、背シート部７の背面に設けられ一端が背シートフレーム４６に軸着される操作レバー１９と、一端が操作レバー１９の中途位置に枢着されたリンク棒材２０と、リンク棒材２０の他端に一端が連結されるとともに背シートフレーム４６に軸着される支持材１５と、シートフレーム９基端側に設けられ支持材１５の他端部分から側方に突出する係止ピン１６が嵌入する複数の溝を有する板部材１２とから構成される。操作レバー１９は背シートフレーム４６との間に介装されるバネ４７により係止ピン１６が溝に嵌入する方向に常時付勢される。図４中、５１は背シート部７の傾斜角度を調整したり、入浴用搬送車１を搬送させたりする際に掴む操作ハンドルである。
【００３７】
図３に示すように、板部材１２には円弧溝１３が刻設され、この円弧溝１３の一方端１３ａから他方端１３ｂにかけては順次弧外方向に形成される第一係止溝１４ａ、第二係止溝１４ｂ、第三係止溝１４ｃが設けられており、操作ハンドル５１と操作レバー１９を同時に把持して操作レバー１９を操作し係止ピン１６を第一係止溝１４ａ、第二係止溝１４ｂ、第三係止溝１４ｃのいずれかの溝に嵌入させることにより、背シート部７の傾斜角度を調整できるようになっている。また、係止ピン１６を他方端１３ｂに臨ませれば背シート部７の傾斜角度を略水平位置に設定できる。
【００３８】
入浴者を着座部４へ移し乗せる際は主に背シート部７の傾斜角度を１２°に設定し、その後、入浴者の病状や要介護度等に応じて傾斜角度を適宜設定し、続いて、入浴用搬送車１を浴槽５内方に進入させる入浴動作に移る。尚、図２中、２１は背シート部７に対し所定範囲で移動自在に取着される枕部である。
【００３９】
また、詳細な説明は省略するが、図２に示すようにシートフレーム９の左右後方側（基端側）においてサイドガード８が設けられ、このサイドガード８は機能位置（例えば、図２中実線で示す位置）と非機能位置（同図中二点鎖線で示す位置）とのいずれかの位置に切替え可能に構成されている。
【００４０】
また、図２、３、７に示すように、シートフレーム９前端部には入浴者を着座部４へ移し乗せたり、着座部４から降下させる際に入浴用搬送車１の転倒を阻止するためパイプ状の脚体２９が１本設けられている。脚体２９は一方部位がシートフレーム９の前端部において左右に架け渡された横架フレーム９ａに取着された取着部材３０に揺動軸３１を介して軸着され、図２中、実線で示す引出端と二点鎖線で示すシートフレーム９の延在方向と同方向となる収納端との所定区間を揺動可能になっている。脚体２９の他方部位には床面を走行可能な転動輪３２が二輪配設されている。
【００４１】
脚体２９の一方部位近傍には脚体２９を手動で引き出し及び収納する際に把持する把持部材３３が設けられている。この把持部材３３と取着部材３０にわたり引張バネ３４が架け渡されていて、この引張バネ３４により脚体２９は引出端から収納端におよぶ揺動範囲における略中間の所定位置（図２中、Ｂで示す脚体２９の位置）を境界線として、引出端及び収納端のいずれかの端位置に到達するようにその揺動が誘発される。即ち、脚体２９がＢで示す脚体２９の位置よりも引出端寄りにあれば引出端方向への揺動が誘発される。逆に、Ｂで示す脚体２９の位置よりも収納端寄りに脚体２９があれば収納端方向への揺動が誘発される。
【００４２】
従って、収納端にある脚体２９を手動で引き出し、脚体２９が前記境界線を越えると、脚体２９の自重と引張バネ３４の作用が相俟って脚体２９はストッパー３６が横架フレーム９ａ下面に当接する引出端まで揺動しこの端位置で保持される。図４に示すように、浴槽５の底壁５ａとの当接位置に対応する脚体２９の位置にはローラ３５が設けられおり、浴槽５内方に向けて着座部４の押し込みを開始すると、ある段階でローラ３５が底壁５ａ側面に当接し、脚体２９が押され半時計方向に揺動し始める。
更に押し込みを続け、脚体２９が境界線を越えると、引張バネ３４の作用により収納端方向への揺動が誘発され、脚体２９が略水平状態となる収納端まで揺動する。
【００４３】
また、引出端の端位置において脚体２９の揺動は機械的にロックされないが、入浴者の乗降に際し座シート部６に対し鉛直後方向への外力が作用しても脚体２９が不用意に収納端の方向に揺動しないように引出端の端位置において脚体２９の転動輪３２の軸心を座シート部６に対する脚体２９の揺動中心Ｃよりも前方に位置するように設定している（図２参照）。
【００４４】
以下、入浴用搬送車１の動作について説明する。入浴介助者は入浴者を載せた他の搬送機器の近傍まで入浴用搬送車１を案内し停車させる。入浴者を着座部４上へ移し乗せるために、操作レバー１９を操作し背シート部４を所望の角度、例えば略水平位置に調節する。必要に応じ、その他の角度に調節して移し乗せ動作を行っても勿論構わない。
【００４５】
脚体２９が収納端にあるときは把持部材３３を把持し手動で脚体２９を引き出す。このとき、脚体２９は図２中Ｂで示す位置を越えると引張バネ３４と自重の作用により揺動が誘発され引出端に到達するので、脚体２９が引出端と収納端の間の中途半端な位置で保持されることはなく、よって、入浴介助者は脚体２９が引出端と収納端のいずれの位置にあるのかを容易に視認判別することができ、収納端以外の位置に脚体２９がある状態で入浴者の移し乗せ等の動作を行った結果、入浴用搬送車１が転倒してしまうという危険性も低減できる。
【００４６】
また、引出端の端位置において、脚体２９の転動輪３２の軸心を座シート部６に対する脚体２９の揺動中心Ｃよりも前方に位置するように設定しているため、入浴者の乗降に際し座シート部６に対し鉛直後方向への外力が作用しても脚体２９が不用意に収納端の方向に揺動することを低減でき、この結果、入浴用搬送車１が転倒する危険性を抑制することが可能となる。
【００４７】
続いて入浴者を移し乗せる側のサイドガード８を手動で非機能位置まで移動させ、着座部４上に入浴者を乗せた後、サイドガード８を機能位置までを元に戻し、背シート部７を所望角度に変更する。
【００４８】
入浴用搬送車１を搬送し浴槽５の正面側にまで案内する。脚体２９の他方部位には転動輪３２が設けられているため、床面に多少の凹凸が存在した場合でも凹凸を転動輪３２が容易に乗り越えることができ脚体２９が搬送の障害になることはない。不図示の浴槽扉を開扉し、着座部４を前方から浴槽５内方に向けて押し込む。そのまま押し込みを続けると、浴槽５の底壁５ａ側面にローラ３５が当接し、脚体２９が反時計回り方向に揺動し始め、図２中Ｂで示す位置を脚体２９が越えると引張バネ３４の作用により脚体２９の揺動が誘発され収納端まで到達する。従って、浴槽５内方へ着座部４を進入させる際に脚体２９の収納操作が不要となり省力化に寄与でき、さらに、入浴介助者が脚体２９の収納操作を誤って忘却し脚体２９が浴槽５底壁５ａに衝突することにより脚体２９や浴槽５が破損するという危険性も回避できる。
【００４９】
底壁５ａ下面から浴槽５の開口方向へ突き出るガイド部５２に台車枠部３側方を沿わせながら入浴用搬送車１を更に押し込むと、まず、前連結支持体２３ａが底壁５ａに当接し押され反時計回り方向に回動する。そして、台車ロックレバー４９の先端４９ａが底壁５ａ下面に設けられる嵌入孔５０に嵌入し、浴槽５に対し台車枠部３がロック固定されるとともに、台車枠部３の突起棒２８が底壁５ａ下面の押圧子２７により押されフック片２５が後方に押される。この結果、後連結支持体２３ｂが底壁５ａ側面に押され反時計回り方向に回動することにより、着座部４の台車枠部３からの分離が可能となり、台車枠部３の一部が底壁５ａの下方へ残った状態で着座部４のみが浴槽５内方へ向けて進入可能となる。着座部４が図６で示す浴槽５内方の所定位置に進入したことを確認した後、浴槽扉を閉扉し不図示の貯湯タンクに予め貯湯していた湯水を浴槽５内へ移送供給し入浴者を入浴させる。
【００５０】
入浴が完了したら、浴槽５内の湯水を貯湯タンクへ戻した後、浴槽扉を開扉し、着座部４を引き出し退出させる。このとき、脚体２９は収納端に収納されたままの状態に保持される。
着座部４の引き出しに応じてシートフレーム９との軸着部に介装される不図示のバネ作用により連結支持体２３が順次時計回り方向に回動し台車枠部３の受具２４に載置され、着座部４と台車枠部３との連結が自動的になされる。
【００５１】
次に、図８を参照して本発明の第二の実施形態を説明する。尚、図８において、図１ないし７と同一又は同等の構成要素については、同一符号を付記して、特に説明を要する場合を除いて構成要素の説明は省略する。
【００５２】
第二の実施形態では、着座部４の浴槽５内方からの退出時に脚体２９が転倒阻止機能を発揮できるように収納端から自動的に引出端まで引き出されるようにするとともに、引出端の端位置において、脚体２９の揺動を機械的にロックするロック手段３７を脚体２９と座シート部６にかけて付設し、このロック手段３７によるロックを着座部４の浴槽５内方への進入時に自動的に解除するように構成したものである。
【００５３】
ロック手段３７は、脚体２９の側部に回動自在に軸着される回動片３８の所定位置に側方に向けて突設されるピン状の係合突部材３９と、一端がシートフレーム９に固着されるとともに他端に係合突部材３９が係合する係合受部４０ａが形成される側面視略逆Ｌ字状の係合受部材４０とから構成される。
係合突部材３９の突設位置と略反対側の回動片３８の位置には大径ローラ４１が設けられ、大径ローラ４１の描く円弧軌跡上であって脚体２９前側面には小径ローラ４２が設けられている。回動片３８は不図示のバネにより図８中、時計回り方向に付勢されストッパー４５により同方向への回動が制止されている。
【００５４】
従って、浴槽５内方に向けて着座部４の押し込みを開始すると、ある段階で大径ローラ４１が底壁５ａ側面に押され回動片３８が図８中、半時計方向へ回動し小径ローラ４２を押し、脚体２９が同方向に揺動することによって、係合突部材３９と係合受部４０ａとの係合が離脱される。よって、着座部４を浴槽５内方へ進入させる際に都度、ロック手段を手動でロック解除する手間が省け好適である。着座部４をさらに押し込むと、脚体２９は底壁５ａに押されながら収納端まで揺動し収納状態に至る。
【００５５】
逆に、浴槽５内方から着座部４を退出させていくと、脚体２９の自重と引張バネ４３の作用により収納端方向に脚体２９が揺動し、収納端位置において係合突部材３９と係合受部４０ａが自動的に係合して脚体２９の揺動が自動的にロックされる。脚体２９は収納端位置でロック手段３７により機械的にロックされ保持されるため、着座部４を退出させた後、脚体２９の引き出し操作を手動により行う必要はなく、脚体操作をより一層省力化できることになる。
また、入浴用搬送車１の搬送時は、座シート部６の下方付近は視認し難くく、無意識のうちに浴槽５の底壁５ａ以外の障害物に脚体２９を当ててしまい、脚体２９が少し収納端側に揺動した状態で入浴者の移し乗せを行うという危険な事態が予測されるが、このような危険性も回避できることになる。
【００５６】
その他、本発明は上述した実施形態に限定されることなく、本発明の趣旨を逸脱しない範囲において適宜変更が可能である。
【産業上の利用可能性】
【００５７】
本発明は、高齢者や身体障害者等の入浴者を搬送車の着座部に座らせた後、この着座部のみを浴槽内方に進入させて座位入浴を行うための入浴用搬送車に適用できるもので、産業上の利用可能性は高く有益なものである。
【符号の説明】
【００５８】
１    入浴用搬送車
２    車輪
３    台車枠部
４    着座部
６    座シート部
１０    受け材
１０ａ  載置面
１０ｂ  前側縁
２９    脚体
３１    揺動軸
３２    転動輪
３４    引張バネ
３５    ローラ
３７    ロック手段
３９    係合突部材
４０    係合受部材
４１    大径ローラ
４２    小径ローラ
４３    引張バネ
【図１】
0005561854.tif 000002
【図２】
0005561854.tif 000003
【図３】
0005561854.tif 000004
【図４】
0005561854.tif 000005
【図５】
0005561854.tif 000006
【図６】
0005561854.tif 000007
【図７】
0005561854.tif 000008
【図８】
0005561854.tif 000009